(57)【要約】【課題】  板体に無段階で可変できる角度設定具を設けることで、その板体を書見台として利用できる書見台及びその書見台に用いる角度設定具の提供を目的とする。【解決手段】  方形の板体と、この板体とは平行状態で離間した棒状のガイド軸を板体に配設した。このガイド軸にそってスライド移動するスライド体に、回動可能な状態で取付けると共に、前記板体を起立状態に支持させる柱状の支えを設けることで、角度設定具とした。  このような角度設定具を、前記板体の裏面側に取付けることにより書見台とした。  このような書見台によれば、書見台付の商品群の種類を増加させるだけでなく、安価な書見台が得られる。【選択図】        図８
2006055587.tif 000002
【特許請求の範囲】
【請求項１】
その一端部を開放した蓋本体と、この蓋本体の前記開放部を覆うと共に、回動によってこの蓋本体上に載置した書跡を傾斜状態に維持する支持体とを設けた箱蓋と、
この箱蓋の内面とは、離間して配設したガイド軸にそってスライド移動するスライド体と、このスライド体とは回動可能な状態で取付けた支えとで形成した角度設定具とからなる書見台。
【請求項２】
紙類等を収容可能な収納箱と、
この収納箱を覆うと共に、その一側壁とこの一側壁に連接した天板の一部とを開放した蓋本体と、この蓋本体の前記開放部を覆うと共に、回転によって書跡を支持する支持体を設けた箱蓋と、
この箱蓋の内面とは、互いに離間して配設したガイド軸にそってスライド移動するスライド体と、このスライド体とは回転可能な状態で取付けた支えとからなり、前記箱蓋を傾斜した状態で支持すると共に、この傾斜角度を無段階で角度調整可能な角度設定具とからなる書見台。
【請求項３】
その両端を固定すると共に、取付ける板体とは平行な状態に離間して配設したガイド軸と、
このガイド軸にそって移動するスライド体と、
このスライド体に回動可能な状態で取付けられると共に、前記板体を起立した状態に支持する柱状の支えとからなる角度設定具。
【請求項４】
方形の板体と、
この板体の一方の面にその両端を固定すると共に、この板体とは平行な状態に離間して配設したガイド軸と、このガイド軸にそって移動するスライド体と、このスライド体に回動可能な状態で取付けられ、前記板体を起立した状態に支持する柱状の支えを設けた角度設定具とからなる書見台。
【発明の詳細な説明】
【技術分野】
【０００１】  本発明は、書見台となる板体を傾斜させて支持すると共に、この板体の傾斜角度を、無段階で可変できるように改善した書見台及びその書見台に用いる角度設定具に関する。
【背景技術】
【０００２】  従来の書見台には、本件出願人が先に出願したもので、書道の半紙を収容する箱を書見台とした手本台兼用書道半紙箱がある。（例えば、特許文献１参照）
【特許文献１】  特開２００１−１６２９８７号公報（第２頁、図１）
【発明の開示】
【発明が解決しようとする課題】
【０００３】  特許文献１に示す手本台兼用書道半紙箱は、箱と蓋との両方を組合せして書見台とするものであり、その結果、箱と蓋との両方を加工しなければならない。
また、書見台の角度設定も段階式であり、微妙な角度設定ができないので、使用性にやや難があった。
本発明は、このような欠点を解消するためになされたものであり、板体に無段階で可変できる角度設定具を設けることで、その板体だけでも書見台として用いることができる書見台及びその書見台に用いる角度設定具の提供を目的とする。
【発明を解決するための手段】
【０００４】  上記不具合を解決するために、本発明は次のような構成としている。
請求項１に記載した書見台は、その一端を開放した蓋本体の開放部を覆うと共に、回動によって蓋本体上に載置した書跡等を傾斜した状態に維持する支持体を蓋本体に設けて箱蓋とした
この箱蓋の内面とは、離間させて配設したガイド軸にそってスライド移動するスライド体と、このスライド体とは、回転可能な状態で取付けた支えとからなる角度設定具を、前記箱蓋の内側に設けることで書見台とした。
このような書見台によれば、箱蓋と角度設定具とが一体化されており、箱蓋単独で書見台となり、しかも設定角度を無段階で可変することができる。
請求項２に記載した書見台は、請求項１に記載した箱蓋よりなる書見台を、紙類や書跡等を収容できる箱用の書見台付蓋として用いたものである。
このような書見台によれば、紙類を収容できる書見台として使用することができる。
請求項３に記載した角度設定具は、取付けるべき板体とは離間して、かつ板面とは平行状態となるように、棒状のガイド軸を配設した。このガイド軸にそって移動するスライド体に、回動可能な状態で取付けると共に、前記板体を起立した状態に支持する柱状の支えを設けることで、角度設定具とした。
この角度設定具の支えを、スライド体に取付けて起立させることにより、板体の傾斜角度を、無段階で可変できるようにした。
請求項４に記載した書見台は、請求項３に記載した角度設定具を、方形の板体に設けることにより書見台とした。
この書見台によれば、板体に角度設定具を設けて構造を簡略化したので、他の商品に付加することが簡単であり、書見台付の商品群の種類を増やすことができる。
【発明の効果】
【０００５】  本発明によれば、板体にスライド可能な支えを設けて書見台としたことにより、以下の効果を得ることができた。
すなわち、板単独で書見台として使用できるから、構造が簡単で製造が容易である。
板体を他の物品、例えばその物品の一部として流用すれば、書見台付の商品として使用することができるので、各種の物品を書見台として兼用することが容易である。
板体を傾斜させて支持する支えを、スライド体に取付けたことにより、傾斜角度を無段階に設定することができるし、この支えを回転可能にしたことにより、収納の際には板体と密着状態にした角度設定具となり、不使用時の角度設定具の収納スペースを少なくすることができる等の多くの効果を得ることができた。
【発明を実施するための最良の形態】
【０００６】  本発明について、図面を参照して説明する。図１は本発明の書見台を示す斜視図、図２は図１の裏面側から見て示す分解斜視図、図３は図１で示した支持体の説明図である。
図１で示すように本発明の書見台１０は、その一端に図中の矢印で示す方向に回転する支持体１５を有する箱蓋１１と、この箱蓋の内側に設けられて、図中の点線で示した角度設定具２０とからなる。
箱蓋１１の天板１３には、図示しない磁石を取付けるために、鉄板などからなる磁性片１９を設けている。このような箱蓋１１と角度設定具２０とについて、更に詳細に説明する。
図１の裏面側を示す図２のように、箱蓋１１はその一端を開放した蓋本体１２と、この蓋本体の開放部を覆う支持体１５とからなる。
蓋本体１２は、その一側壁と天板の一部をＬ形に切欠いた形である。この切欠いた開放部を覆う支持体１５は、ガイド板１６と側壁１７とからなり、その断面がＬ形になるように形成している。
この支持体１５の両側と、蓋本体１２に設けた開放部分の側壁には孔が設けられ、軸１８を取付けることで支持体１５が、蓋本体１２の一端で回動するように形成している。
この回動状況を図３で説明する。天板１３の一部であったガイド板１６が、図中の矢印Ｂで示す方向に軸１８を中心に回転することで、書道の手本や本などの書跡を傾斜状態で支持するものである。
この時にガイド板１６とはＬ形に組合せした側壁１７も、軸１８を中心に、図中の矢印Ｃで示す方向に回転して、その一部が天板１３の裏面側に当接することにより、ガイド板１６を起立状態に維持させることになる。
このような支持体１５は、書見台としての役目が終れば、回転により元の位置に戻すことで、図１で示した箱蓋１１を形成するものである。【０００７】  図面を参照して、角度設定具２０について説明する。図４は図２の角度設定具を示す斜視図、図５は図４の分解斜視図、図６は図４の作用説明図である。
図４で示すように角度設定具２０は、本体部分を移動させるガイド２２と、このガイドにそって移動する支え３０とからなる。支え３０は書見台を傾斜した状態に支持するものであり、この支えがガイドにそって移動することにより、書見台の傾斜角度を変えることができる。
このようなガイド２２と支え３０とについて、更に詳細に説明する。
図５で示すようにガイド２２は、その両端に立方体よりなる駒２５を設けた棒体のガイド軸２４と、このガイド軸にそって、図中の矢印で示す方向に移動するスライド体２６とからなる。
駒２５は、図２で示した蓋本体１２の内面に固着すると、ガイド軸２４は蓋本体１２と離間されて、蓋本体面と平行な状態に配置される。
スライド体２６は立方体よりなり、その中央部には軸孔を設けると共に、この軸孔にガイド軸２４を挿入することで、このスライド体２６はガイド軸２４を案内にして、スライド移動することができるものである。
このスライド体２６の両側壁には、孔２７を設けて支え３０を回転可能な状態で取付けている。【０００８】  支え３０は、一対の柱状よりなる脚本体の一端を接合すると共に、この接合部には、ガイド軸２４の両端に設けた駒の一方を収容する駒受３３を設けた支え本体３２と、この支え本体を起立させる起立手段３６とからなる。
起立手段３６は、支え本体３２を蓋本体の板面と直交して、起立するように維持するものであり、支え本体３２の一端に設けた駒受３３の存在しない他端側に配設している。
この起立手段３６は、１対の脚体よりなる支え本体３２端部の板厚方向を延出させて、突出した三角形とすることで足状に形成し、突出して長くした足裏側の面を利用して、支え本体３２を起立させるものである。
この支え本体３２の起立手段側には孔３７を設けて、この孔３７とスライド体２６に設けた孔２７とに、図示しない回転軸を取付けることで、支え本体３２を蓋本体の板面から起立させたり、板面に接合させたりすることができる。
支え本体３２と蓋本体の板面とを接合させるには、支え本体３２に設けた駒受３３内に、一方の駒２５を収納すると、両者は互いに密着状態で接合させることができる。【０００９】  このように形成して、ガイド２２と支え３０とを組合せした角度設定具２０は、図２で示すように蓋本体１２の裏面側で、支持体１５とは反対側に寄せて取付けする。
この取付けには、図５で示しガイド２２を形成する１対の駒２５を、蓋本体１２の板面に接着などで固定する。
このように形成した角度設定具２０を用いて、書見台の傾斜角度を設定するには、図６で示すように、図中の矢印Ｄで示す方向に支え本体３２を回転させて、起立状態に設定する。更に図中の矢印Ｅで示すように支え本体３２を、ガイド軸２４にそって移動することで、傾斜角度を選択することができる。
すなわち、図２で示す蓋本体１２の開放側である支持体側に、支え本体３２を移動すると、書見台としての傾斜角度が、大きくなって急斜面に設定し、逆方向に支え本体３２を移動すると、傾斜角度が小さくなって、ゆるやかな傾斜面に設定することができる。【００１０】  このように構成した書見台１０の使用例について、図面を参照して説明する。図７は図１の使用状態を示す斜視図である。
図７で示すように、書見台に設けた支持体１５を回転させて、ガイド板１６を起立させる。また、箱蓋１１の裏面側に位置する角度設定具２０を、前述したように起立させると共に、支え３０をスライド移動することで、必要な傾斜角度に設定する。
このように図７で示す状態に設定した書見台１０には、習字用の手本などを置いて、磁性体片１９と図示しない磁石とで手本などを挟んで支持する。また、書見台上に本類を乗せた場合は、本の下側をガイド板１６で支持させて使用するものである。
以上説明した箱蓋形の書見台１０は、書跡を収容する箱の蓋として用いることにより、必要な用具一式を収容できる書見台として、使用することができる。このような書見台は、道具一式をまとめて収納したり、持ち運んだりが簡単にできるという作用を持っている。【００１１】  本発明の他の書見台について、図面を参照して説明する。図８は本発明の他の例を示す書見台の斜視図である。
図８で示すように、本発明の他の例で示す書見台４０は、その一端部に磁性片４９を設けた平板状の書見台本体４２と、この書見台本体の裏面側に取付けた角度設定具５０とからなる。
書見台本体４２は、書見台としての大きさに形成した方形の板体よりなり、図１で示した支持体１５は設けていない。これは手本などを置いた場合に、磁性片４９と図示しない磁石で挟んで、手本を支持させるからである。
支持体が必要ならば、書見台本体４２の下端に、図中で示す点線状の棒体などを取付けて、支持させるようにしても良い。【００１２】  このような書見台４０に用いる角度設定具５０について、図面を参照して説明する。図９は本発明の他の例の角度設定具を分解して示す斜視図である。
図９で示すように、他の例で示す角度設定具５０は、傾斜状態を支える本体部を移動させるためのガイド５２と、このガイドにそって移動する支え６０とからなる。
支え６０は前述例と同様に、書見台を傾斜させて支持するものであり、ガイド５２にそって移動することにより、書見台としての傾斜角度を変えることができる。
このようなガイド５２と支え６０とについて、更に詳細に説明する。
ガイド５２は前述例と同様に、その両端に立方体の駒５５と駒５８とを設けた棒状のガイド軸５４と、このガイド軸にそって図中の矢印方向に移動するスライド体５６とからなる。
このガイド５２と前述例のガイド２２との相違点は、一方の駒５８の一端に切欠５９を設けたことと、スライド体５６の一側壁に軸５７を設けて、支え６０を回転可能な状態で取付けたことである。【００１３】  支え６０は１本の柱状よりなる支え本体６２の一端に、細い棒状のピン６３を設けて、ガイド５２を形成する駒５８の切欠５９内に、挿入できるようにしている。
このピン６３は、支え６０をガイド５２と組合せすることで、書見台本体４２の裏面側に支え６０を密着させて、角度設定具５０を不使用状態に、維持させるためのものである。
また、支え本体６２の他端側には貫通孔６５を設けると共に、スライド体５６に設けた軸５７をこの貫通孔６５に挿入すると、軸５７を中心に支え本体６２が回転できるようにしている。
尚、支え本体に設けた貫通孔６５側の端面は、前述例と同様に起立手段６６として用いるものである。【００１４】  このように形成した角度設定具５０は、前述例よりも構造を単純化して全体の形状を小型化したものである。この角度設定具５０を用いた書見台４０も前述例の書見台と同様に使用することができる。
他の例で示す書見台４０は、構造を全体的に簡略化したものであるが、書見台本体４２に、前述例の角度設定具２０を用いることも可能である。
また、この書見台４０は板体をそのまま書見台としたので、他の商品と一体化しやすくて、書見台付の商品群を増やすことができるという作用も合せて持っている。
【図面の簡単な説明】
【００１５】
【図１】  本発明の書見台を示す斜視図である。
【図２】  図１を裏面側から見て示す分解斜視図である。
【図３】  図１で示す支持体の説明図である。
【図４】  図２の角度設定具を示す斜視図である。
【図５】  図４の分解斜視図である。
【図６】  図４の作用を示す説明図である。
【図７】  図１の使用状態を示す斜視図である。
【図８】  本発明の他の例を示す書見台の斜視図である。
【図９】  本発明の他の例の角度設定具を分解して示す分解斜視図である。
【符号の説明】
【００１６】１０  書見台
１１  箱蓋
１２  蓋本体
１５  支持体
２０  角度設定具
２２  ガイド
２４  ガイド軸
２６  スライド体
３０  支え
３２  支え本体
３６  起立手段
４０  書見台
４２  書見台本体
５０  角度設定具
５２  ガイド
５４  ガイド軸
５６  スライド体
６０  支え
６６  起立手段
【図１】
2006055587.tif 000003
【図２】
2006055587.tif 000004
【図３】
2006055587.tif 000005
【図４】
2006055587.tif 000006
【図５】
2006055587.tif 000007
【図６】
2006055587.tif 000008
【図７】
2006055587.tif 000009
【図８】
2006055587.tif 000010
【図９】
2006055587.tif 000011